(57)【要約】【課題】シャワーヘッドの向きを変えるための操作性が良好なシャワーフックを提供すること。【解決手段】本発明のシャワーフック１は、壁面１３１ａに取り付けられるブラケット部５と、一端側がブラケット部５に回動可能に接続され他端側にシャワーヘッド３を保持する保持部７が設けられたアーム６と、を有し、ブラケット部５の壁面１３１ａ側の端部からアーム６側の端部までの長さが、アーム６側のブラケット部５側の端部からアーム６の保持部７側の端部までの長さよりも短い。また、本発明のシャワーフック１は、その一つの態様では、ブラケット部５にアーム６を横方向に回動可能に接続する軸１３が鉛直に設けられる。【選択図】図１
2019044437.tif 000002
【特許請求の範囲】
【請求項１】
壁面に取り付けられるブラケット部と、
一端側が前記ブラケット部に横方向に回動可能に接続され他端側にシャワーヘッドを保持する保持部が設けられたアームと、を有し、
前記ブラケット部の前記壁面側の端部から前記アーム側の端部までの長さが、前記アームの前記ブラケット部側の端部から前記保持部側の端部までの長さよりも短いシャワーフック。
【請求項２】
前記ブラケット部に前記アームを横方向に回動可能に接続する軸が鉛直に設けられる請求項１に記載のシャワーフック。
【請求項３】
前記ブラケット部に前記アームを横方向に回動可能に接続する部位における前記アーム側の下面摺接部に対応する前記ブラケット部側の受け面に摺接リブが設けられ且つ前記受け面は水平面に対して傾斜している請求項１又は２に記載のシャワーフック。
【請求項４】
前記アームは、前記ブラケット部側から前記保持部側に向かう程下がるように傾斜して延びている請求項１から３の何れか一項に記載のシャワーフック。
【請求項５】
前記保持部は、シャワーヘッドを上下方向に回動可能に保持する請求項１から４の何れか一項に記載のシャワーフック。
【発明の詳細な説明】
【技術分野】
【０００１】
本発明は、シャワーヘッドを保持するシャワーフックに関する。
【背景技術】
【０００２】
シャワーヘッド保持するための部分である保持部材を、シャワーフックの基部に対して横方向及び縦方向に回して角度を調節できるようにしたシャワーフックが提案されている（例えば、特許文献１参照）。特許文献１に開示されたシャワーフックは、浴室などの壁面に固定される基部に対し、ヘッド保持アダプターを縦方向の軸によって横方向に回動可能に支持し、このヘッド保持アダプターに対し、シャワーヘッド保持する保持部材を横方向の軸により縦方向に回動可能に支持している。
また、シャワーフックが摺動可能に取付けられるスライドバーの上方延長部分を軸の周りに回動可能に構成し、ユーザがこの延長部分を握って軸周りに回動させることにより横方向に回動可能にしたシャワーフックも提案されている（例えば、特許文献２参照）。シャワーヘッドが回動可能に支持されていれば、ユーザは所用に応じてシャワーヘッドの向きを変えられるため便利である。
【先行技術文献】
【特許文献】
【０００３】
【特許文献１】特開２０１６−１９９９９９号公報
【特許文献２】特許第４３９７２５３号公報
【発明の概要】
【発明が解決しようとする課題】
【０００４】
しかしながら、特許文献１及び特許文献２のシャワーフックでは、シャワーヘッドの向きを可変にするものではあるが、向きを変えるための操作性は必ずしも良好ではない。
【０００５】
本発明は、上記事情に鑑みてなされたものであり、シャワーヘッドの向きを変えるための操作性が良好なシャワーフックを提供することを目的とする。
【課題を解決するための手段】
【０００６】
上記目的を達成するため、本発明のシャワーフック（例えば、後述するシャワーフック１）は、壁面（例えば、後述する壁面１３１ａ）に取り付けられるブラケット部（例えば、後述するブラケット部５）と、一端側が前記ブラケット部に横方向に回動可能に接続され他端側にシャワーヘッド（例えば、後述するシャワーヘッド３）を保持する保持部（例えば、後述する保持部７）が設けられたアーム（例えば、後述するアーム６）と、を有し、前記ブラケット部の前記壁面側の端部から前記アーム側の端部までの長さが前記アームの前記ブラケット部側の端部から前記保持部側の端部までの長さよりも短い。
【０００７】
前記ブラケット部に前記アームを横方向に回動可能に接続する軸（例えば、後述する中空軸体１３）が鉛直設けられることが好ましい。
【０００８】
前記ブラケット部に前記アームを横方向に回動可能に接続する部位における前記アーム側の下面摺接部（例えば、後述する下面摺接部２７）に対応する前記ブラケット部側の受け面（例えば、後述する受け面２８）に摺接リブ（例えば、後述する摺接リブ２９）が設けられ且つ前記受け面は水平面に対して傾斜していることが好ましい。
【０００９】
前記アームは、前記ブラケット部側から前記保持部側に向かう程下がるように傾斜して延びていることが好ましい。
【００１０】
また、前記保持部は、シャワーヘッドを上下方向に回動可能に保持することが好ましい。
【発明の効果】
【００１１】
本発明によれば、シャワーヘッドの向きを変えるための操作性が良好なシャワーフックを提供することができる。
【図面の簡単な説明】
【００１２】
【図１】本発明の一実施形態としてのシャワーフックを設けた壁面が右側方に見える視野で浴室ユニットを示す斜視図である。
【図２】本発明の一実施形態としてのシャワーフックを示す斜視図である。
【図３】本発明の一実施形態としてのシャワーフックの側断面図である。
【図４】図３よりも断面深さが浅い図３のシャワーフックの側断面図である。
【図５】本発明の一実施形態としてのシャワーフックの向きを横方向に変えるための機構を説明する図である。
【図６】本発明の一実施形態としてのシャワーフックのブラケット部とアームとの接続機構における摺動部を示す図である。
【発明を実施するための形態】
【００１３】
以下、図面を参照しながら本発明の実施形態について詳述することにより本発明を明らかにする。
図１は、本発明の一実施形態としてのシャワーフックを設けた壁面が右側方に見える視野で浴室ユニットを示す斜視図である。
浴室ユニット１００は、浴槽１１０に並んで洗い場床１２０が設けられている。この浴室ユニット１００は、浴槽１１０の４周のうち洗い場床１２０側を除く３方を囲む壁パネルと、ドアが設けられドアパネルとによって４周が囲まれている。ここでは、説明の便宜上、シャワーフック１及び補助シャワーフック２が設けられた第１壁パネル１３１と、第１壁パネル１３１に一端側が垂直に接合されて浴槽１１０の長辺に沿う第２壁パネル１３２が示され他のパネルは未設置の状態で表されている。第１壁パネル１３１及び第２壁パネル１３２は、それぞれ複数の壁パネル部材によって構成される。
【００１４】
第１壁パネル１３１には、上方のシャワーフック１と下方の補助シャワーフック２が縦方向に所定間隔で固定され、補助シャワーフック２に向かって右手下方に混合水栓１３３が設けられている。シャワーフック１及び補助シャワーフック２は、所用に応じユーザの任意でそれらの何れかでシャワーヘッド３を支持する。シャワーヘッド３から延びたシャワーホース４の端部が混合水栓１３３に接続されている。
【００１５】
第１壁パネル１３１には、更に、補助シャワーフック２の右側に位置して鏡１３４が設けられ、鏡１３４の上方に照明器具１３５が設けられている。
また、第１壁パネル１３１の混合水栓１３３の下方に位置して、カウンタ１３６が第１壁パネル１３１から水平方向前方に突出するように設けられている。
【００１６】
次に、図２、図３及び図４を参照して図１のシャワーフック１について詳細に説明する。
図２は、本発明の一実施形態としてのシャワーフックを示す斜視図である。
図３は、本発明の一実施形態としてのシャワーフックの側断面図である。
図４は、図３よりも断面深さが浅い図３のシャワーフックの側断面図である。
シャワーフック１は壁面１３１ａ（図１の第１壁パネル１３１の壁面）に取り付けられるブラケット部５と、一端側が前記ブラケット部５に横方向に回動可能に接続されたアーム６とを含んで構成されている。アーム６の他端側にはシャワーヘッド３（図１）を保持する保持部７が設けられている。
【００１７】
ブラケット部５は、内部に縦横にリブ８が設けられたブラケット組立体９有し、ブラケット組立体９の略上半分の部分がブラケットカバー部材１０によって覆われている。
ブラケット部５は、壁面１３１ａに沿う面部を有する基部１１の部位で、ねじ等により壁面１３１ａに取付けられている。基部１１は、ブラケット組立体９の部分を構成する部材である。
ブラケット組立体９は、ブラケット部５にアーム６を横方向に回動可能に接続する軸を有する。軸はブラケット組立体９の下部を占めるベース部１２から上方に立ち上がった概略筒状の中空軸体１３によって構成されている。軸である中空軸体１３は、その中心軸Ｘの方向が鉛直方向（従って、壁面１３１ａには平行）になるようにその位置が設定される。
【００１８】
ベース部１２と中空軸体１３とは一体に構成されて軸構造体１４を成している。ブラケット組立体９は、図６を参照して後述するブラケット組立体本体１５に軸構造体１４が嵌合して構成される。即ち、ブラケット組立体本体１５の下部軸孔１３ａ及び上部軸孔１３ｂに軸構造体１４の中空軸体１３が嵌り合うようにしてブラケット組立体本体１５と軸構造体１４とが嵌合する。
【００１９】
一方、アーム６は、内部にリブ１６が縦横に設けられたアーム組立体１７の略上半分の部分と先端側の部分がアームカバー部材１８によって覆われている。
アーム組立体１７におけるアームカバー部材１８よりもブラケット部５側に突出した部分には、ブラケット組立体９の中空軸体１３に対し回動可能に嵌り合う軸孔１９が設けられている。アーム組立体１７の軸孔１９とその周囲の部分は、ブラケット部５の中空軸体１３によってアーム６が横方向に回動可能に接続される接続部２０である。接続部２０の軸孔１９の中心がブラケット組立体９の中空軸体１３の中心軸Ｘ上に位置する。
アーム６の接続部２０が形成された一端側に対し、他端側には保持部７が上下方向に回動可能に設けられる。
【００２０】
本実施形態のシャワーフック１では、ブラケット部５の壁面１３１ａ側の端部である基部１１からアーム６側の端部である接続部位（詳細にはアーム６の接続部２０軸孔１９の中心位置に該当）までの長さが、アーム６のブラケット部５側の端部である接続部２０（詳細には軸孔１９の中心位置）から保持部７側の端部である先端部までの長さよりも短い。
換言すれば、アーム６の一端側の接続部２０（軸孔１９の中心）から先端側（保持部７が設けられている先端側）までの長さは、ブラケット部５の壁面１３１ａへの固定部分である基部１１からアーム６の接続部２０（軸孔１９の中心）までの長さよりも長い。
従って、アーム６を横方向に回動操作させるときにアーム６の先端側に触れて操作すれば、回動操作におけるアーム長が相対的に長いものとなり、少ない操作力で横方向に回動変位さることができる。このため、アーム６の横方向（左右の回動方向）での位置調節に関する操作性に優れる。
【００２１】
また、アーム６を回動可能に接続しているブラケット部５の中空軸体１３は、その中心軸Ｘが鉛直である。このため、アーム６の先端側の横方向（左右の回動方向）での振れは水平面に沿ったものとなり、横方向に回動させて位置調節をする場合における違和感がなく操作性が良い。
また、アーム６は壁面１３１ａに垂直な方向（本例では水平方向）よりも下方に傾斜した方向に延びるようにブラケット部５に取り付けられている。通常より長めに壁面１３１ａから突出したアーム６が、このように先端が下降する方向に向けられているため、水平方向或いは先端側が上昇する方向に向けられた場合に比しユーザにとって違和感が無く使い勝手に優れる。
【００２２】
次に、アーム６の先端側における保持部７と、その取付け部の構造について説明する。
保持部７は、シャワーヘッド３のシャワーホース４に連なるテーパー管部に対応して先端側（上側）が相対的に大径（曲率が緩い）の凹面部７ａが内側に形成されている。保持部７は、側面視で概略円形であり、凹面部７ａはこの円の直径方向に沿って形成されている。保持部７の外側には概略円形の中心に該当する左右の各位置（図３及び図４では、紙面の手前側と奥側との各位置）に軸体２１（図４参照）がそれぞれ突設されている。また概略円形内の軸体２１の中心から所定間隔離れた位置に回動範囲規制用のボス２２が軸体２１と平行に突設されている。
アーム６のアーム組立体１７における先端側の一対の突出リブ１６ａに、軸体２１が回動可能に嵌合する軸孔２３と、ボス２２が嵌合する回動範囲規制用の弧状の長孔である回動規制孔２４が設けられている。保持部７は、ボス２２が回動規制孔２４内で移動可能な範囲で軸体２１の軸を中心として上下に回動可能である（図３に二点鎖線にて図示）。
【００２３】
保持部７の外周におけるアーム組立体１７先端側へ対向する湾曲面には、ラチェット機構２５の凹凸状のラチェット歯部２５ａが形成されている。また、アーム組立体１７先端側にはラチェット歯部２５ａに対応する凹凸状部を有するラチェット歯止め部２５ｂが設けられている。ラチェット歯止め部２５ｂはその背後の弾性体などによる付勢部２５ｃによって突出し、ラチェット歯部２５ａに弾発的に嵌合する。ユーザによるシャワーヘッド３を介しての保持部７への上下方向の回動操作力が一定以上になると、ラチェット歯止め部２５ｂが弾発的に後退してラチェット歯部２５ａがラチェット歯止め部２５ｂに対して相対変位し、保持部７はラチェット機構２５の一つの安定位置から次の安定位置へと一段毎に回動する。ユーザの操作次第で回動段数が決まるが、回動範囲は、回動規制孔２４内でボス２２の移動が許容される範囲内に規制される。
【００２４】
次に、図３及び図５を参照してシャワーフック１（そのアーム６）の向きを横方向に変えるための機構について説明する。
既述の図３に加えて参照する図５は、本発明の一実施形態としてのシャワーフックの向きを横方向に変えるための機構を説明する図である。図５は、シャワーフック１を、ブラケット部５及びアーム６の上部を破断して平面視で示す図である。
図５において図３との対応部は同一の符号を附して示し、それら対応部の説明は適宜省略する。図５では、アーム６が平面視で壁面１３１ａに垂直な位置から横方向に回動したときの位置が二点鎖線にて図示されている。
【００２５】
ブラケット部５にアーム６が横方向に回動可能に接続されている部分にもラチェット機構２６が設けられている。
ラチェット機構２６は、中空軸体１３の外周におけるアーム組立体１７の基端側へ対向する周面に形成された凹凸状のラチェット歯部２６ａと、アーム組立体１７の基端側にラチェット歯部２６ａに対向するように設けられたラチェット歯止め部２６ｂとを含んで構成される。ラチェット歯止め部２６ｂはその背後の弾性体などによる付勢部２６ｃによって突出し、ラチェット歯部２６ａに弾発的に嵌合する。ユーザによるアーム６への左右方向（横方向）の回動操作力が一定以上になると、ラチェット歯止め部２６ｂが弾発的に後退してラチェット歯部２６ａがラチェット歯止め部２６ｂに対して相対変位する。ラチェット機構２６では、中空軸体１３の外周に形成されたラチェット歯部２６ａの位置が固定され、アーム組立体１７側のラチェット歯止め部２６ｂ側の位置が移動する。アーム６はラチェット機構２６の一つの安定位置から次の安定位置へと一段毎に回動する。ユーザの操作次第で回動段数が決まるが、回動範囲は、図示しない機構部により所定の回動角度以内に規制される。
【００２６】
ここで、図６と共に既述の各図を参照してシャワーフック１のブラケット部５とアーム６との接続機構について説明する。
図６は、本発明の一実施形態としてのシャワーフックのブラケット部とアームとの接続機構における摺動部を示す図であり、既述のブラケット組立体本体１５の斜視図である。
ブラケット組立体本体１５には、図３を参照して説明した軸構造体１４の中空軸体１３が貫通する下部軸孔１３ａ及び上部軸孔１３ｂが設けられている。下部軸孔１３ａの上側開放端側の面は、アーム６の接続部２０の下面側の下面摺接部２７に対向してこれを受け止める受け面２８を構成している。即ち、受け面２８は、アーム６を横方向に回動可能に接続する部位である接続部２０におけるアーム６側の下面摺接部２７（図４参照）に対応するブラケット部５側の面部である。
【００２７】
受け面２８には、下面摺接部２７との摺接による摩擦を低減させるために摺接リブ２９が設けられ、且つ、受け面２８は水平面に対して傾斜している。本例におけるこの傾斜は、ブラケット部５が基部１１側で壁面１３１ａに取付けられたときに、この壁面１３１ａに垂直に離隔する方向である前後方向前向きに下降する傾斜である。傾斜の角度は比較的緩いものであるが、この傾斜によって、受け面２８の上面側、即ち、アーム６側の下面摺接部２７と受け面２８との隙間には水が滞留し難く排水性に優れる。また、摺接リブ２９は受け面２８における下部軸孔１３ａの左右両側方に各１本の凸条として下部軸孔１３ａの直径寸法を超える長さで前後方向に延びるようにそれぞれ配されている。受け面２８が上述のように傾斜していることに対応して、摺接リブ２９の受け面２８からの高さは、前方に向かうほど高まるように傾斜している。従って、摺接リブ２９の上面は、受け面２８が前方へ下降傾斜しているにもかかわらず水平が維持されている。このため、ブラケット組立体本体１５に嵌合する軸構造体１４の中空軸体１３の中心軸Ｘが壁面１３１ａに平行（実質的に鉛直）である構造を採りながら、アーム６の左右方向への回動操作に違和感が生ぜず良好な操作性が確保される。
【００２８】
以上述べた本実施形態によれば、次のような効果が奏される。
（１）本実施形態のシャワーフック１は、壁面１３１ａに取り付けられるブラケット部５と、一端側がブラケット部５に横方向に回動可能に接続され他端側にシャワーヘッド３を保持する保持部７が設けられたアーム６と、を有し、ブラケット部５の壁面１３１ａ側の端部からアーム６側の端部までの長さが、アーム６のブラケット部５側の端部（接続部２０）から保持部７側の端部までの長さよりも短い。
この構成では、アーム６のブラケット部５側の端部である接続部２０（下部軸孔１３ａ及び上部軸孔１３ｂの中心）から保持部７側の端部（先端部）までの長さは、ブラケット部５の壁面１３１ａ側の端部である基部１１からアーム６側の端部までの長さよりも長い。
従って、アーム６を横方向に回動操作させるときにアーム６の先端側に触れて操作すれば、回動操作におけるアーム長が長いため、少ない操作力で横方向に回動変位さることができる。このため、アーム６の横方向での位置調節（図５に二点鎖線にて図示の左右の回動に関する位置調節）に関する操作性に優れる。
【００２９】
（２）シャワーフック１では、ブラケット部５にアーム６を横方向に回動可能に接続する中空軸体１３（図３の中心軸Ｘの方向）が鉛直に設けられる。
このため、アーム６を横方向に回動させる際の動きが実質的に水平方向に沿った軌跡を描くこととなり、動きに違和感が無く、ユーザの使い勝手がよい。
【００３０】
（３）シャワーフック１は、ブラケット部５にアーム６を横方向に回動可能に接続する部位におけるアーム６側の下面摺接部２７に対応するブラケット部５側の受け面２８に摺接リブ２９が設けられ且つ受け面２８は水平面に対して傾斜している。
このため、受け面２８の傾斜によって、受け面２８の上面側、即ち、アーム６側の下面摺接部２７と受け面２８との隙間には水が滞留し難く排水性に優れる。また、下面摺接部２７と受け面２８とは直接全面で接触せず、摺接リブ２９が介在されて限られた接触面で摺接する。このため摺接の摩擦抵抗が少なくなり、アーム６の横方向への回動操作が容易である。
【００３１】
（４）シャワーフック１では、アーム６は、ブラケット部５側から保持部７側に向かう程下がるように傾斜して延びている。
このため、通常より長めに壁面１３１ａから突出したアーム６は、その先端が下降する方向に向いているため、水平方向或いは先端側が上昇する方向に向いている場合に比しユーザにとって違和感が無く使い勝手に優れる。
【００３２】
（５）シャワーフック１では、保持部７は、シャワーヘッド３を上下方向に回動可能に保持する。
このため、それ自体が横方向に回動可能なアーム６に対して保持部７はシャワーヘッド３を上下方向に回動させることが可能であり、シャワーヘッド３の向きを広範囲に調節することができ、ユーザにとって使い勝手に優れる。
【００３３】
尚、本発明は上記実施形態に限定されるものではなく、本発明の目的を達成できる範囲での変形変更等は本発明に含まれる。
例えば、上記実施形態では、ブラケット部５のブラケット組立体本体１５は、下部軸孔１３ａと上部軸孔１３ｂとの上下に離れた軸孔で軸構造体１４の中空軸体１３を支持すると共に、双方の軸孔１３ａ、１３ｂが上下に離間した部分で、アーム６の接続部２０を軸支するように構成されていた。しかし、ブラケット部５とアーム６の接続態様はこれ限られず、ブラケット組立体本体１５の上下方向の中段位置から前方に突出し軸孔を有する突出部材をアーム６側の上下に分かれてそれぞれ軸孔を有する厚板状の接続部で挟み、ブラケット部５側の突出部材とアーム６側の上下の接続部との軸孔を合わせて中空軸体１３を貫通させて接続する態様を採ることができ、この他にも種々の態様を採ることが可能である。
【符号の説明】
【００３４】
１…シャワーフック
３…シャワーヘッド
５…ブラケット部
６…アーム
７…保持部
９…ブラケット組立体
１５…ブラケット組立体本体
２０…接続部
２５…ラチェット機構（上下回動）
２６…ラチェット機構（横回動）
２７…下面摺接部
２８…受け面
２９…摺接リブ
１３１…第１壁パネル
１３１ａ…壁面
【図１】
2019044437.tif 000003
【図２】
2019044437.tif 000004
【図３】
2019044437.tif 000005
【図４】
2019044437.tif 000006
【図５】
2019044437.tif 000007
【図６】
2019044437.tif 000008